(57)【要約】【課題】吸水性及び保水性の高い植物育成床、及び、この植物育成床に空気中の水を供給可能な給水装置などを提供する。【解決手段】本発明の植物育成床１は、表面側土層２の下に、瓦片を含有した瓦層３を備えたことを特徴とする。瓦層３の下に、瓦層３から下方への水の浸透を防止する水浸透防止材を設けたことも特徴とする。水浸透防止材が、畳（廃材畳４）により形成されたことも特徴とする。瓦層３が、麻袋の中に瓦片と腐葉土とを詰めたものにより形成されたことも特徴とする。表面側土層２が、腐葉土７を含有した層により形成されたことも特徴とする。【選択図】図１
2008306952.tif 000002
【特許請求の範囲】
【請求項１】
表面側土層の下に、瓦片を含有した瓦層を備えたことを特徴とする植物育成床。
【請求項２】
瓦層の下に、瓦層から下方への水の浸透を防止する水浸透防止材を設けたことを特徴とする請求項１に記載の植物育成床。
【請求項３】
水浸透防止材が、畳により形成されたことを特徴とする請求項２に記載の植物育成床。
【請求項４】
瓦層が、麻袋の中に瓦片と腐葉土とを詰めたものにより形成されたことを特徴とする請求項１乃至請求項３のいずれかに記載の植物育成床。
【請求項５】
表面側土層が、腐葉土を含有した層により形成されたことを特徴とする請求項１乃至請求項４のいずれかに記載の植物育成床。
【請求項６】
請求項１乃至請求項５のいずれかに記載の植物育成床に空気中の水を供給する給水装置であって、地上の空気取込口から地中の瓦層を経由して地上の空気排出口に至る給排気通路を形成する給排気管と、空気取込口から空気を取り込んで空気排出口より空気を排出させる給排気装置とを備え、瓦層を通過する給排気管は、管内で結露した水を管の内部から外部に通すために管の内部と外部とに貫通する貫通孔を備えたことを特徴とする給水装置。
【請求項７】
管内を通過する空気中の水を結露させるための面積を増やすために管内に設けられた結露増進材と、管の内部と外部とに貫通するよう設けられて管内で結露した水を管の内部から外部に通すための貫通孔とを備えたことを特徴とする管材。
【発明の詳細な説明】
【技術分野】
【０００１】
本発明は、吸水性及び保水性の高い植物育成床、この植物育成床に空気中の水を供給するための給水装置、この給水装置に使用される管に適した管材に関する。
【背景技術】
【０００２】
植物育成床としては、吸水性及び保水性の高い植物育成床が好ましい。このため、吸水性及び保水性の悪い植物育成床（土壌）に対して給水を行う給水装置が知られている（例えば、特許文献１参照）。
【特許文献１】特開平０９−０５６２７２号公報
【発明の開示】
【発明が解決しようとする課題】
【０００３】
しかしながら、特許文献１のような植物育成床は、吸水性及び保水性が悪い。また、特許文献１の植物育成床に水を供給する給水装置は、植物育成床に貯水槽を形成しなくてはならず、貯水槽の構築にコストがかかるし、また、給水源としての雨水を期待できない砂漠などにおいては砂漠に形成した植物育成床に給水できないといった問題点があった。
本発明は、上記課題に鑑みてなされたもので、吸水性及び保水性の高い植物育成床、及び、この植物育成床に空気中の水を供給可能な給水装置などを提供する。
【課題を解決するための手段】
【０００４】
本発明の植物育成床は、表面側土層の下に、瓦片を含有した瓦層を備えたことを特徴とする。
瓦層の下に、瓦層から下方への水の浸透を防止する水浸透防止材を設けたことも特徴とする。
水浸透防止材が、畳により形成されたことも特徴とする。
瓦層が、麻袋の中に瓦片と腐葉土とを詰めたものにより形成されたことも特徴とする。
表面側土層が、腐葉土を含有した層により形成されたことも特徴とする。
本発明の給水装置は、上記植物育成床に空気中の水を供給する給水装置であって、地上の空気取込口から地中の瓦層を経由して地上の空気排出口に至る給排気通路を形成する給排気管と、空気取込口から空気を取り込んで空気排出口より空気を排出させる給排気装置とを備え、瓦層を通過する給排気管は、管内で結露した水を管の内部から外部に通すために管の内部と外部とに貫通する貫通孔を備えたことを特徴とする。
本発明の管材は、管内を通過する空気中の水を結露させるための面積を増やすために管内に設けられた結露増進材と、管の内部と外部とに貫通するよう設けられて管内で結露した水を管の内部から外部に通すための貫通孔とを備えたことを特徴とする。
【発明の効果】
【０００５】
本発明の植物育成床によれば、表面側土層の下に瓦層を備えたので、瓦層が吸水性及び保水性に優れ、吸水性及び保水性に優れた植物育成床が得られる。
瓦層の下に水浸透防止材を設けたので、水浸透防止材が保水性に優れ、植物育成床の保水性能を更に向上できる。
水浸透防止材を畳により形成したので、畳が保水性に優れ、植物育成床の保水性能を更に向上できる。
麻袋の中に廃材瓦を砕いた瓦片と腐葉土とを詰めたものを用いて瓦層を形成したので、腐葉土による植物育成促進効果と瓦片による吸水性能及び保水性能とを備えた瓦層を形成できる。
腐葉土を含有した層により表面側土層を形成したので、腐葉土による植物育成促進効果の高い植物育成床を提供できる。
本発明における植物育成床に空気中の水を供給する給水装置によれば、空気中の水を植物育成床に供給できる。また、給排気装置を備えたので、給水装置と外部とに空気を循環させることができ、給排気管内に空気を確実に供給できるので、植物育成床に水分を確実に供給できる。よって、例えば、砂漠緑化が可能となる。
本発明の管材によれば、管内に設けられた結露増進材と、管内で結露した水を管の内部から外部に通すための貫通孔とを備えたので、結露増進材によって結露水の量を増やせ、外部に結露水を多く供給できる。
【発明を実施するための最良の形態】
【０００６】
最良の形態１
図１及び図２は本発明の最良の形態１を示す。図１は植物育成床を断面で示し、図２は土嚢を示す。
【０００７】
図１を参照し、最良の形態１の植物育成床を説明する。植物育成床１は、表面側土層２の下に、瓦層３を備え、瓦層３の下に、瓦層３から下方への水の浸透を防止する水浸透防止材としての廃材畳４を備えた構造である。瓦層３は、麻袋５の中に廃材瓦を砕いた瓦片６と腐葉土７とを詰めた土嚢８（図２参照）を廃材畳４の上に複数個設けて形成される。表面側土層２は、廃材瓦を砕いた瓦片６と腐葉土７と廃材レンガを砕いたレンガ片９とを混在させた混合材１０を瓦層３の上に設けて形成される。廃材畳４、廃材瓦、廃材レンガは、家屋解体などで廃棄された産業廃棄物である。廃材畳４は、地面を掘削した穴の底面に、１枚づつ横に並ぶように敷設したり、上下に数枚重ねて敷設する。
【０００８】
即ち、植物育成床１は、表面側土層２の下に瓦層３を備え、瓦層３の下に、瓦層３から下方への水の浸透を防止する水浸透防止材としての廃材畳４を備え、瓦層３が、麻袋５の中に瓦片６と腐葉土７とを詰めた土嚢８により形成され、表面側土層２が、腐葉土７を含有した層により形成された構造である。
【０００９】
植物育成床１の形成方法を説明する。まず、地面を掘削した穴の底面に廃材畳４を敷設する。廃材畳４の上に複数の土嚢８を上下縦横に敷き詰めるようにして瓦層３を形成する。瓦層３の上に混合材１０を敷き詰めるようにして表面側土層２を形成する。以上により、植物育成床１を形成できる。この植物育成床１に植物１１；１２を植える。尚、育成する植物の種類によって廃材畳４の設置深さ位置を変えればよい。例えば、花のような小型植物１１用の植物育成床１の場合は、廃材畳４の設置深さを地上から１ｍ程度にし、木のような大型植物１２用の植物育成床１の場合は、廃材畳４の設置深さを地上から２〜３ｍ程度にする。
【００１０】
最良の形態１の植物育成床１は、瓦層３が吸水性及び保水性に優れるので、吸水性及び保水性に優れた植物育成床１が得られる。さらに、廃材畳４が保水性に優れるので、植物育成床１の保水性能を更に向上できる。
【００１１】
瓦層３を、麻袋５の中に瓦片６と腐葉土７とを詰めた土嚢８により形成したため、瓦片６により吸水性及び保水性を向上でき、しかも、腐葉土７により植物の成長を促すことができる植物育成床１を提供できる。つまり、腐葉土７による植物育成促進効果と瓦片６による吸水性能及び保水性能とを備えた瓦層３を形成できる。また、麻袋５を用いたことで、土嚢８に水分を吸収させた状態で土嚢８を設置できる。さらに、瓦片６と腐葉土７とレンガ片９とを混在させた混合材１０により、表面側土層２を形成したので、瓦片６とレンガ片９とにより吸水性及び保水が向上し、腐葉土７により植物の成長を促すことができる。
【００１２】
また、産業廃棄物である、廃材畳４をそのまま再利用できるとともに、廃材瓦、廃材レンガを再利用でき、地球温暖化対策に貢献できる。
【００１３】
最良の形態２
上述した植物育成床及び給水装置を用いた砂漠の緑化装置を説明する。図３及び図４は本発明の最良の形態２を示す。図３は植物育成床及び給水装置を用いた砂漠の緑化装置を断面で示し、図４は管材の断面を示す。
【００１４】
図３を参照し、砂漠の緑化装置を説明する。砂漠の緑化装置２０は、植物育成床１と、空気中の水を植物育成床１に供給する給水装置２１とを備える。植物育成床１は、砂漠に形成された最良の形態１と同じ構造の植物育成床１である。
【００１５】
給水装置２１は、砂漠において、地上の空気取込口２２から地中の瓦層３を経由して地上の空気排出口２３に至る給排気通路２４を形成する給排気管２５と、空気取込口２２から空気を取り込んで空気排出口２３より空気を排出させる給排気装置２６とを備え、瓦層３を通過する部分の給排気管２５を構成する管材２７が、管材２７内で結露した水を管の内部から外部に通すために管の内部と外部とに貫通する貫通孔２８（図４参照）を備える。
【００１６】
給排気管２５は、空気取込口２２を備えた空気取込部３１と、空気取込部３１より地中に延長する地中部３２と、地中部３２より地上に延長する空気排気部３３とを備える。空気取込部３１は、空気取込管部３４、砂排出管部３５、空気供給管部３６を備える。空気取込管部３４は、砂地に対して上下方向に延長して下端に空気取込口２２を備える。砂排出管部３５は、空気取込管部３４の上端部より連続して砂地に対して上下方向に延長し、その下端に砂排出口３７を備える。空気供給管部３６は、砂排出管部３５の上端部より連続して砂地に対して上下方向に延長して下端が地中部３２へと連続する。空気取込口３２、空気取込管部３４、砂排出管部３５、空気供給管部３６の内側空間が連続した空気取込路４０が形成される。地中部３２は、空気導入管部４１、取水管部４２、空気導出管部４３を備える。空気導入管部は、空気供給管部３６の下端から瓦層３の下部位置まで延長する。取水管部４２は、空気導入管部４１の下端から瓦層３を横方向に水平に延長する。空気導出管部４３は、取水管部４２の終端から上方に延長する。取水管部４２の内側空間により取水路４５が形成される。空気排気部３３は、排気管部４６を備える。排気管部４６は、空気導出管部４３の上端から砂上に延長する。排気管部４６の内側空間により空気排出路５０が形成される。よって、給排気管２５の内側に、空気取込路４０、取水路４５、空気排出路５０を経由する給排気通路２４が形成される。
【００１７】
給排気装置２６は、空気排出部４７を形成するケーシング５１と、排気ファン５２と、排気ファンの駆動モータ５３と、駆動モータの電源５４とを備える。空気排出部４７は排気管部４６の上端部に設けられる。空気排出部４７を形成するケーシング５１は、下端が開口されたキャップ状に形成され、排気管部４６の上端開口である空気排出口２３がケーシング５１の下端開口５６を経由してケーシング５１内に位置される。ケーシング５１の内面には排気ファン５２が設置されている。ケーシング５１の外面にはモータ設置部５７が設けられ、モータ設置部５７に駆動モータ５３が固定される。また、ケーシング５１の外面にはモータの駆動源となる電源５４としての太陽電池が設けられる。従って、排気ファン５２が駆動されると排気ファン５２が排気管部４６の上端にある空気排出口２３及びケーシング５１の下端開口５６経由で空気を外部に強制排気する。
【００１８】
図４に示すように、取水管部４２を形成する管材２７の内側には、管内を通過する空気中の水を結露させるための面積を増やすために管内に設けられた結露増進材としての多数のステンレス線６０を備える。そして、管材２７は、多数のステンレス線６０に結露させた水を管の内部から外部に通すための貫通孔２８を備える。
【００１９】
緑化装置２０の作用を説明する。排気ファン５２を駆動すると、図３の給排気通路２４内の矢印に示すように、空気が給排気通路２４と外部とを循環する。取水路４５に供給された空気中の水分は、取水管部４２の内部に設けられたステンレス線６０の表面及び取水管部４２の内面に結露し、この結露した水が貫通孔２８を経由して瓦層３に供給される。
【００２０】
緑化装置２０を形成する給水装置２１によれば、砂漠に形成した植物育成床１に水分を供給できるので、砂漠緑化が可能となる。尚、給排気装置２６を備えたので、給排気通路２４と外部とに空気を循環させることができ、取水路４５に空気を確実に供給できるので、瓦層３に水分を確実に供給できる。また、取水管部４２の内部に結露増進材としての多数のステンレス線６０を充填したので、ステンレス線６０によって結露水の量を増やせ、植物育成床１に結露水を多く供給できる。
【００２１】
最良の形態３
瓦層３を、廃物瓦を砕いた瓦片６と土とで形成してもよい。即ち、表面側土層２の下に、瓦片６を含有した瓦層３を備えた植物育成床１でもよい。
【００２２】
最良の形態４
表面側層２を、腐葉土７のみで形成してもよい。
【００２３】
最良の形態５
廃材畳４の代わりに水浸透防止シートを用いてもよい。
【産業上の利用可能性】
【００２４】
緑化装置２０は、砂漠以外でも、雨量の少ない土地に適用すれば効果的である。
管内に結露増進材を備えない管材によって取水路４５を形成する取水管部４２を形成してもよい。この場合でも、管の内面に結露した水が貫通孔２８を経由して植物育成床１に供給される。
植物育成床１の表面側土層２を、土や砂により形成してもよい。表面側土層２の下に、廃材瓦を砕いた瓦片を有した瓦層３のみを備えた植物育成床１としてもよい。即ち、廃材瓦を砕いた瓦片を有した瓦層３と、瓦層３の上に設けられた表面側土層２とにより構成された植物育成床１であってもよい。
廃材でない瓦や畳を用いて植物育成床１を形成してもよい。
【図面の簡単な説明】
【００２５】
【図１】植物育成床を示す断面図（最良の形態１）。
【図２】土嚢を示す斜視図（最良の形態１）。
【図３】緑化装置を示す断面図（最良の形態２）。
【図４】管材の断面図（最良の形態２）。
【符号の説明】
【００２６】
１  植物育成床、２  表面側土層、３  瓦層、４  廃材畳（水浸透防止材）、
５  麻袋、６  瓦片、７  腐葉土、２１  給水装置、２２  空気取込口、
２３  空気排出口、２４  給排気通路、２５  給排気管、２６  給排気装置、
２７  管材、２８  貫通孔、６０  ステンレス線（結露増進材）。
【図１】
2008306952.tif 000003
【図２】
2008306952.tif 000004
【図３】
2008306952.tif 000005
【図４】
2008306952.tif 000006